(57)【要約】【課題】マンションなどの廊下に取り付けられた手摺を外部から見た場合、コーナー部には目障りな太い支柱がなく立子が連続して見え、意匠的にきわめて優れた笠木立格子型の手摺構造を提供する。【構成】笠木の中心軸と支柱の中心軸を一致させ支柱間に立子を配設して組み付ける笠木立格子型手摺で、支柱の見付け寸法と立子の見付け寸法は近似または同一寸法であり、支柱は見付け寸法が見込み寸法より小さい縦長の長方形断面を有する部材により形成され、立子は見付け寸法が見込み寸法より大きい横長の長方形断面を有する部材により形成されたものであって、手摺のコーナー部の笠木が前記立子と同一の見込み寸法を有するＬ形立子部材により支持されており、立子と立子間のピッチおよび立子と支柱間のピッチがすべて均等に割り付けられていることを特徴とする。【選択図】図５
2019035235.tif 000002
【特許請求の範囲】
【請求項１】
笠木の中心軸と支柱の中心軸とを一致させ支柱間に立子を配設して組み付ける笠木立格子型手摺で、支柱の見付け寸法と立子の見付け寸法は近似または同一寸法であり、支柱は見付け寸法が見込み寸法より小さい縦長の長方形断面を有する部材により形成され、立子は見付け寸法が見込み寸法より大きい横長の長方形断面を有する部材により形成されたものであって、手摺のコーナー部の笠木が前記立子と同一の見込み寸法を有するＬ形立子部材により支持されており、立子と立子間のピッチおよび立子と支柱間のピッチがすべて均等に割り付けられていることを特徴とする手摺構造。
【請求項２】
前記立子およびＬ形立子部材の見付け面が前記支柱の見付け面と略同一面になるよう立子およびＬ形立子部材を支柱に対して偏位させて組み付けたことを特徴とする請求項１に記載の手摺構造。
【請求項３】
前記手摺のコーナー部に配設されたＬ形立子部材を見付け寸法が前記立子の見付け寸法と同一となるよう形成したことを特徴とする請求項１または２に記載の手摺構造。
【請求項４】
前記支柱、立子およびＬ形立子部材が中空形状に形成されていることを特徴とする請求項１〜３のいずれかに記載の手摺構造。
【発明の詳細な説明】
【技術分野】
【０００１】
本発明は、特にマンションなどの集合住宅のバルコニーや廊下に用いられる手摺構造に関する。
【背景技術】
【０００２】
マンションのバルコニーや廊下には、図６〜７に示すように、笠木１の中心軸Ｃ１（図７に一点鎖線で表示）と支柱２ａ、２ｂ、２ｃ・・の中心軸Ｃ２（図７に一点鎖線で表示）を一致させ、支柱２ａ、２ｂ、２ｃ・・間に立子３ａ、３ｂ、３ｃ・・を並設して組み付けた笠木立格子型手摺が取り付けられている。４は立子３ａ、３ｂ、３ｃ・・の下端部を固着するための下枠、５は手摺を立設するためのコンクリートスラブ、９は笠木１の下部に嵌着され立子３ａ、３ｂ、３ｃ・・の上端部を固着するためのカバー部材である。
【０００３】
このような従来の笠木立格子型手摺においては、コーナー部に太い支柱２ａが配置されているため、マンションの外観において、手摺を見ると、図６に示すようにコーナー部の太い支柱が目立ってしまい、意匠的には必ずしも優れたものとは言えないという難点がある。
【先行技術文献】
【特許文献】
【０００４】
【特許文献１】特開２００４−３１６２３６号公報
【発明の概要】
【発明が解決しようとする課題】
【０００５】
本発明は、上記従来の笠木立格子型手摺における難点を解消するためになされたものであり、その目的は、上記従来の笠木立格子型手摺におけるコーナー部の構造を改良し、例えば、マンションなどの廊下に取り付けられた手摺を外部から見た場合、コーナー部には目障りな太い支柱がなく立子が連続して見え、意匠的にきわめて優れた笠木立格子型の手摺構造を提供することにある。
【課題を解決するための手段】
【０００６】
上記の目的を達成するための請求項１による手摺構造は、笠木の中心軸と支柱の中心軸を一致させ支柱間に立子を配設して組み付ける笠木立格子型手摺で、支柱の見付け寸法と立子の見付け寸法は近似または同一寸法であり、支柱は見付け寸法が見込み寸法より小さい縦長の長方形断面を有する部材により形成され、立子は見付け寸法が見込み寸法より大きい横長の長方形断面を有する部材により形成されたものであって、手摺のコーナー部の笠木が前記立子と同一の見込み寸法を有するＬ形立子部材により支持されており、立子と立子間のピッチおよび立子と支柱間のピッチがすべて均等に割り付けられていることを特徴とする。
【０００７】
請求項２による手摺構造は、請求項１において、前記立子およびＬ形立子部材の見付け面が前記支柱の見付け面と略同一面になるよう立子およびＬ形立子部材を支柱に対して偏位させて組み付けたことを特徴とする。
【０００８】
請求項３による手摺構造は、請求項１または２において、前記手摺のコーナー部に配設されたＬ形立子部材を見付け寸法が前記立子の見付け寸法と同一となるよう形成したことを特徴とする。
【０００９】
請求項４による手摺構造は、請求項１〜３のいずれかにおいて、前記支柱、立子およびＬ形立子部材が中空形状に形成されていることを特徴とする。
【発明の効果】
【００１０】
本発明によれば、例えば、マンションなどの廊下に取り付けられた本発明に係る手摺を外部から見た場合、コーナー部には目障りな太い支柱ではなく立子が配置されているからコーナー部が目立つことなく、均等なピッチで配置された同じ見付け寸法を有する支柱と立子が連続して見える意匠的にきわめて優れた笠木立格子型の手摺構造が提供される。
【００１１】
また、前記立子およびＬ形立子部材の見付け面が前記支柱の見付け面と略同一面になるよう立子およびＬ形立子部材を支柱に対して偏位させて組み付けることにより（請求項２）、上記の効果に加えて、手摺を取り付けたバルコニーや廊下の有効使用空間が大きくなり、バルコニーや廊下を広く使うことができる。
【図面の簡単な説明】
【００１２】
【図１】本発明に係る手摺構造を示す正面図である。
【図２】図１の側断面図である。
【図３】図２の拡大図で、支柱、立子および笠木の配置形態を示すものである。
【図４】図１の要部平断面図で、平断面から見た手摺構造の支柱と立子の配置形態を示すものである。
【図５】図１に示す手摺構造のコーナー部の要部平断面図で、平断面から見たコーナー部におけるＬ形立子部材と支柱、立子の配置形態を示すものである。
【図６】従来の手摺構造を示す正面図である。
【図７】図６に示す従来の手摺構造のコーナー部の要部平断面図で、平断面から見たコーナー部における支柱と、立子の配置形態を示すものである。
【発明を実施するための形態】
【００１３】
以下、図面（図１〜図５）により本発明に係る手摺構造について説明する。なお、図面において、従来と同じ部材には同一の符号を付した。
【００１４】
本発明に係る手摺構造は、特に図２〜３、図５に示されるように、笠木１の中心軸Ｃ１（図５に一点鎖線で表示）と支柱２ａ、２ｂ、２ｃ・・の中心軸Ｃ２（図５に一点鎖線で表示）を一致させ、支柱２ａ、２ｂ、２ｃ・・間に立子３ａ、３ｂ、３ｃ・・を並設して組み付けた笠木立格子型手摺である。４は立子３ａ、３ｂ、３ｃ・・の下端部を固着するための下枠、５は手摺を立設するためのコンクリートスラブ、９は笠木１の下部に嵌着され立子３ａ、３ｂ、３ｃ・・の上端部を固着するためのカバー部材である。
【００１５】
図４〜５に示すように、支柱２ａ、２ｂ、２ｃ・・の見付け寸法（表面からみた支柱の幅寸法）Ｐｗと立子３ａ、３ｂ、３ｃ・・の見付け寸法（表面からみた立子の幅寸法）Ｂｗは近似または同一寸法であり、支柱２ａ、２ｂ、２ｃ・・は見付け寸法Ｐｗが見込み寸法（支柱の奥行寸法）Ｐｄより小さい縦長の長方形断面を有する部材により形成され、立子３ａ、３ｂ、３ｃ・・は見付け寸法Ｂｗが見込み寸法（立子の奥行寸法）Ｂｄより大きい横長の長方形断面を有する部材により形成されている。
【００１６】
本発明に係る手摺構造のコーナー部においては、図５に詳細を示すように、コーナー部の笠木は立子３ａ、３ｂ、３ｃ・・の見込み寸法と同一の見込み寸法Ｂｄを有するＬ形立子部材３Ｃにより支持（支受）されている（Ｌ形立子部材３Ｃの見込み寸法Ｂｄ（３Ｃ）＝立子の見込み寸法Ｂｄ）。図５に示されるＬ形立子部材３Ｃの見付け寸法Ｐｗ（３Ｃ）は立子３ａ、３ｂ、３ｃ・・の見付け寸法Ｂｗと同一となるよう形成することが望ましい（Ｌ形立子部材３Ｃの見付け寸法Ｐｗ（３Ｃ）＝立子の見付け寸法Ｐｗ）。
【００１７】
支柱２ａ、２ｂ、２ｃ・・、立子３ａ、３ｂ、３ｃ・・およびＬ形立子部材３Ｃは中空形状に形成されているのが好ましく、支柱２ａ、２ｂ、２ｃ・・、立子３ａ、３ｂ、３ｃ・・およびＬ形立子部材３Ｃはアルミニウム合金の中空押出形材を適用して構成するのが望ましい。
【００１８】
これら部材の見付け寸法、見込み寸法を例示すると、例えば、支柱２ａ、２ｂ、２ｃ・・においては、Ｐｗ＝３５ｍｍ、Ｐｄ＝６０ｍｍ、立子３ａ、３ｂ、３ｃ・・においては、Ｂｗ＝３５ｍｍ、Ｂｄ＝１５ｍｍ、Ｌ形立子部材３Ｃにおいては、Ｂｗ（３Ｃ）＝３５ｍｍ、Ｂｄ（３Ｃ）＝１５ｍｍで、立子の見込み寸法Ｂｄは支柱の見込み寸法Ｐｄの好ましくは１／２以下、より好ましくは１／３以下とする。
【００１９】
図４に示す立子と立子間のピッチＰ１および立子と支柱間のピッチＰ２はすべて均等に割り付けられており（Ｐ１＝Ｐ２）、このような立子と支柱の配置により、図１に示すように、均等なピッチで配置された同じ見付け寸法を有する支柱２ａ、２ｂ、２ｃ・・と立子３ａ、３ｂ、３ｃ・・が連続して見える意匠的にきわめて優れた笠木立格子型の手摺構造が形成される。
【００２０】
また、図３〜５に示すように、立子３ａ、３ｂ、３ｃ・・の見付け面（支柱間に並設される立子の表面が位置する面）６とＬ形立子部材３Ｃの見付け面（Ｌ形立子部材の表面が位置する面）８が支柱２ａ、２ｂ、２ｃ・・の見付け面（支柱の表面が位置する面）７と略同一面になるよう立子３ａ、３ｂ、３ｃ・・およびＬ形立子部材３Ｃを支柱２ａ、２ｂ、２ｃ・・に対して表面側に偏位させて組み付けることにより、手摺を取り付けたバルコニーや廊下の有効使用空間が大きくなり、バルコニーや廊下を広く使うことができる。
【符号の説明】
【００２１】
１    笠木
２ａ、２ｂ、２ｃ・・  支柱
３ａ、３ｂ、３ｃ・・  立子
３Ｃ  Ｌ形立子部材
４    立子の下端部を固着するための下枠
５    手摺構造を立設するためのコンクリートスラブ
６    立子の見付け面
７    支柱の見付け面
８    Ｌ形立子部材の見付け面
９    笠木の下部に嵌着され立子の上端部を固着するためのカバー部材
Ｐｗ  支柱の見付け寸法
Ｐｄ  支柱の見込み寸法
Ｂｗ  立子の見付け寸法
Ｂｄ  立子の見込み寸法
Ｂｗ（３Ｃ）  Ｌ形立子部材の見付け寸法
Ｂｄ（３Ｃ）  Ｌ形立子部材の見込み寸法
Ｐ１  立子間のピッチ
Ｐ２  支柱と立子間のピッチ
【図１】
2019035235.tif 000003
【図２】
2019035235.tif 000004
【図３】
2019035235.tif 000005
【図４】
2019035235.tif 000006
【図５】
2019035235.tif 000007
【図６】
2019035235.tif 000008
【図７】
2019035235.tif 000009